(57)【要約】【課題】苗の丈によらず、苗の根元に確実に物質を供給可能な苗用物質供給機構を提供する。【解決手段】載置された苗Ｓを下方に移動させる苗載台３１と、移動する苗Ｓの根元に必要な薬剤（物質）Ｐを順次供給する薬剤供給装置（物質供給装置）７０とを備える植付部（苗用物質供給機構）３０であって、薬剤Ｐを供給するときに、移動する苗Ｓの上部に当てて苗Ｓを撓ませ、苗Ｓの根元付近を開放するための分草板（分草部）６０を備える植付部３０において、分草板６０が平板で構成される。【選択図】図４
2011115085.tif 000002
【特許請求の範囲】
【請求項１】
載置された苗を下方に移動させる苗載台と、前記移動する苗の根元に必要な物質を順次供給する物質供給装置とを備える苗用物質供給機構であって、
前記物質を供給するときに、前記移動する苗の上部に当てて該苗を撓ませ、該苗の根元付近を開放するための分草部を備える苗用物質供給機構において、
前記分草部が平板で構成されることを特徴とする、苗用物質供給機構。
【請求項２】
前記分草部が、前記苗の移動方向と反対側に向けて傾いて設けられることを特徴とする、請求項１に記載の苗用物質供給機構。
【請求項３】
載置された苗を下方に移動させる苗載台と、前記移動する苗の根元に必要な物質を順次供給する物質供給装置とを備える苗用物質供給機構であって、
前記物質を供給するときに、前記移動する苗の上部に当てて該苗を撓ませ、該苗の根元付近を開放するための分草部を備える苗用物質供給機構において、
前記分草部が２つ以上の棒状部材で構成されることを特徴とする、苗用物質供給機構。
【請求項４】
前記分草部が、前記苗の移動方向と反対側に向けて傾いて設けられることを特徴とする、請求項３に記載の苗用物質供給機構。
【発明の詳細な説明】
【技術分野】
【０００１】
本発明は、載置された苗を下方に移動させる苗載台と、移動する苗の根元に必要な物質を順次供給する物質供給装置とを備える苗用物質供給機構であって、物質を供給するときに、移動する苗の上部に当てて苗を撓ませ、苗の根元付近を開放するための分草部を備える苗用物質供給機構に関する。
【背景技術】
【０００２】
従来の苗用物質供給機構としては、たとえば、田植機（自走式車両と植付部）と植付部の後面に取り付けられる薬剤散布機が挙げられる。稲の苗は、苗マットごと田植機の苗載台に載置され、搬送ベルトによって下方に送られる。このとき、苗は、苗載台面に対して起立した状態となるように載置される。そして、苗載台の下部、植付爪が苗を掻き取る直前には、苗の根元に薬剤（必要な物質）を順次供給する。薬剤は、物質供給装置のホッパータンクから散布口を介して供給される。
【０００３】
薬剤が供給されるときには、苗の上部は、１本の分草棒（分草部）によって撓んだ状態となっている。この分草棒は、苗載台面の垂直上方で、かつ薬剤を供給する散布口に対して、（苗の搬送される）やや上流側に設けられる。
【０００４】
このように構成された田植機においては、苗は搬送ベルトによって苗載台上を順次下方に搬送され、散布口の手前に設けられた分草棒によって苗の上部の移動がブロックされる。苗の下部は引き続き下方に向けて搬送されているので、苗は搬送方向上流側に向けて撓む。これによって、下流側に隣接する起立した苗の根元と、撓んでいる苗の根元との間に開放空間ができ、ここより薬剤が苗の根元に投入される。
【先行技術文献】
【特許文献】
【０００５】
【特許文献１】特開２００２−０２７８９５号公報
【発明の概要】
【発明が解決しようとする課題】
【０００６】
しかし、このような構成の田植機では、分草棒が苗の丈の高さの違いに対応できず、苗の種類によっては、十分に苗を撓ませることができず、根元に開放空間を十分に確保することができない場合が生じる。このため、散布口から薬剤を十分に根元に向けて供給することができないという問題があった。そこで、この発明は、苗の丈によらず、苗の根元に確実に物質を供給可能な苗用物質供給機構を提供することにある。
【課題を解決するための手段】
【０００７】
このため請求項１に記載の発明は、載置された苗を下方に移動させる苗載台と、前記移動する苗の根元に必要な物質を順次供給する物質供給装置とを備える苗用物質供給機構であって、
前記物質を供給するときに、前記移動する苗の上部に当てて該苗を撓ませ、該苗の根元付近を開放するための分草部を備える苗用物質供給機構において、
前記分草部が平板で構成されることを特徴とする。
【０００８】
請求項２に記載の発明は、請求項１に記載の苗用物質供給機構において、前記分草部が、前記苗の移動方向と反対側に向けて傾いて設けられることを特徴とする。
【０００９】
請求項３に記載の発明は、載置された苗を下方に移動させる苗載台と、前記移動する苗の根元に必要な物質を順次供給する物質供給装置とを備える苗用物質供給機構であって、
前記物質を供給するときに、前記移動する苗の上部に当てて該苗を撓ませ、該苗の根元付近を開放するための分草部を備える苗用物質供給機構において、
前記分草部が２つ以上の棒状部材で構成されることを特徴とする。
【００１０】
請求項４に記載の発明は、請求項３に記載の苗用物質供給機構において、前記分草部が、前記苗の移動方向と反対側に向けて傾いて設けられることを特徴とする。
【発明の効果】
【００１１】
請求項１に記載の発明によれば、載置された苗を下方に移動させる苗載台と、移動する苗の根元に必要な物質を順次供給する物質供給装置とを備える苗用物質供給機構であって、物質を供給するときに、移動する苗の上部に当ててその苗を撓ませ、苗の根元付近を開放するための分草部を備える苗用物質供給機構において、分草部が平板で構成されるので、これまで使用されてきたような棒状の分草部とは異なり、苗の背丈が異なる場合であっても、苗の上部に確実に当接することができる。これによって、苗を確実に搬送方向上流側に向けて撓ませることができ、根元に開放空間を十分に確保することができる。したがって、苗の丈によらず、苗の根元に確実に物質を供給可能な苗用物質供給機構を提供することができる。
【００１２】
請求項２に記載の発明によれば、分草部が、苗の移動方向と反対側に向けて傾いて設けられるので、いっそう苗を確実に搬送方向上流側に向けて撓ませることができ、根元に開放空間を十分に確保することができる。
【００１３】
請求項３に記載の発明によれば、載置された苗を下方に移動させる苗載台と、移動する苗の根元に必要な物質を順次供給する物質供給装置とを備える苗用物質供給機構であって、物質を供給するときに、移動する苗の上部に当ててその苗を撓ませ、苗の根元付近を開放するための分草部を備える苗用物質供給機構において、分草部が２つ以上の棒状部材で構成されるので、これまで使用されてきたような１本の棒からなる分草部とは異なり、苗の背丈が異なる場合であっても、苗の上部に確実に当接することができる。これによって、苗を確実に搬送方向上流側に向けて撓ませることができ、根元に開放空間を十分に確保することができる。したがって、苗の丈によらず、苗の根元に確実に物質を供給可能な苗用物質供給機構を提供することができる。
【００１４】
請求項４に記載の発明によれば、分草部が、苗の移動方向と反対側に向けて傾いて設けられるので、いっそう苗を確実に搬送方向上流側に向けて撓ませることができ、根元に開放空間を十分に確保することができる。
【図面の簡単な説明】
【００１５】
【図１】この発明の一例としての田植機の側面図である。
【図２】その平面図である。
【図３】その植付部の正面図である。
【図４】その側面図である。
【図５】この発明の別の例の植付部の側面図である。
【発明を実施するための形態】
【００１６】
以下、図面を参照しつつ、この発明を実施するための最良の形態について詳述する。図１及び２は、乗用田植機の要部の側面図及び平面図である。乗用田植機の概要は次の通りである。作業者が搭乗する走行車体１０の車体フレーム１１には、前部にエンジン１２と後部にミッションケース１３が設けられ、ミッションケース１３の前方両側にフロントアクスルケース１４を介して水田走行用前輪１５が支持されるとともに、ミッションケース１３の後部両側にリヤアクスルケース１６を介して水田走行用後輪１７が支持されている。エンジン１２とその近傍の部材はボンネット１８で被覆され、ミッションケース１３とその近傍の部材はステップ１９を有する車体カバー２０によって被覆されている。そして、車体カバー２０の上部に運転席２１が取り付けられ、その運転席２１の前方に操向ハンドル２２が設けられている。
【００１７】
走行車体１０の後部には、８条植え用の苗載台３１や複数の植付爪３２を具備する植付部３０が連らなる。この植付部３０は、トップリンク３３及びロワーリンク３４を含む３点昇降リンク機構を用いて、走行車体１０に連結されている。そして、走行車体１０の後部とロワーリンク３４との間に介設された油圧シリンダーの伸縮動作によって、昇降自在に構成されている。また、前高後低に設置された板状の前傾式苗載台３１は、下部ガイドレール３５及び上部ガイドレール３６を介して、中央及び左右の植付伝動ケース３７に対して左右往復摺動自在に支持されている。その植付伝動ケース３７の下方には、中央及び左右の植付用均平フロート３８，３９が、植付深さ調節部材を介して支持されている。植付部３０を降下させて、このフロート３８，３９を着地させることにより、苗載台３１の上の苗マットから取り出す苗の植付深さを設定するように構成している（図１，２では、苗を省略して描いている）。なお、植付伝動ケース３７内では、走行車体１０のＰＴＯ軸から取り出した駆動力にて回転軸が回転する。
【００１８】
図３には、植付部３０の正面図を示す。植付部３０は、８つの苗載台３１（１つの苗載台３１が植付時の１条分に相当する）を隣接して並べて一体に備える。各苗載台３１の下部底面には、苗を下方へと搬送するための搬送ベルトＢを２つ並列に備える。搬送ベルトＢはゴム製の無端ベルトからなり、表面には無数の小突起を、裏面には一定間隔で形成された突起を備える。搬送ベルトＢは、苗載台３１の裏面側にてプラスチック製の一対のギアに係合して回転する。この一方のギアの回転軸には、ＰＴＯ軸より分岐した駆動軸をギアを介して係合させる。
【００１９】
苗載台３１の中央部前方には、後に詳述する４つのホッパーユニット７３を備える。このホッパーユニット７３は、１つで２条分の苗載台３１に薬剤（物質）を供給するように構成されている。また、苗載台３１の下部前方には、４つの植付伝動ケース３７を備え、それぞれの植付伝動ケース３７の両端には植付爪３２を備える。すなわち、１つの植付伝動ケース３７で２条分の苗を植え付けることができるようになっている。苗載台３１には、分草板６０を備える。この分草板６０は苗載台３１の幅方向全域にわたって設ける。
【００２０】
分草板６０は、詳しくは図４（ａ），（ｂ）に示すように、矩形で一定の厚みを有する金属板（平板）で構成される（分草板６０は金属板であることに限定されず、プラスチック板のようなものであってもよい）。この分草板６０の両端部は、苗載台３１の外縁部３１Ｅに固設されたブラケット６１の上端部にピン６２などで固定する。なお、分草板６０は、苗載台３１に載置された苗Ｓの長手方向Ｄに対して、角度αをもって設けられることが望ましい（いいかえると、苗Ｓの移動方向と反対側に角度αをもって傾けて設ける）。この角度αは、分草板６０が苗Ｓの根元を開放し、薬剤Ｐを苗Ｓの根元に補給しやすい角度、好ましくは３０〜６０度とする。また、分草板６０の幅Ｗは、苗載台３１に載置する多種の苗Ｓの背丈の違いによって適宜、設定することが望ましい。たとえば、徒長苗と通常の生育の苗との差を考慮して、Ｗ＝５０ｍｍの分草板６０とする。このようにすることで、生育状況の異なる苗を混在させた状態でも確実に分草板６０が苗Ｓの上部に当接して、苗Ｓの根元を開放し、薬剤を苗Ｓの根元に供給することができる。
【００２１】
植付部３０の後部には、薬剤供給装置（物質供給装置）７０を取り付ける（この例では、箱施用剤〔殺虫・殺菌剤〕。植付部３０と薬剤供給装置７０とで物質供給機構を構成する）。詳しくは、植付伝動ケース３７へ動力を伝達する伝達部Ｔと植付伝動ケース３７との境界部分からブラケット７１を立ち上げ、そのブラケット７１の上端に受台７２を固設する。この受台７２上に４つのホッパーユニット７３を載置し、不図示のパッチン錠にて着脱自在に止めつける。ホッパーユニット７３は、ホッパータンク７４、薬剤繰出ローラ部７５、導出パイプ７６、散布口７７などを備える。ホッパータンク７４は、正面視で底面中央がＶ字状に切れ上がっている。ホッパータンク７４の両端の底部には、それぞれ薬剤繰出ローラ部７５を備える。薬剤繰出ローラ部７５の外殻は、ホッパータンク７４と一体に成形される。そして、内側に横溝ローラを回転自在に備える。横溝ローラは、回転しながら、一定量の薬剤を下方に供給するためのものである。この横溝ローラには、ＰＴＯ軸より分岐した不図示の回転駆動軸を取り付ける。ホッパータンク７４と薬剤繰出ローラ部７５とが一体成形されることによって、従来から問題となってきた、接続部分における水漏れ（接続部分から雨水などが入り込み、顆粒状の薬剤を湿らせて、薬剤繰出ローラ部７５に固まりついてしまうという問題）を回避することができる。
【００２２】
各薬剤繰出ローラ部７５の下端には、これに連続して導出パイプ７６を取り付ける。このように、１つのホッパータンク７４に２つの導出パイプ７６が取り付けられ、それぞれの導出パイプ７４が１条分の苗載台３１への薬剤の供給を受け持つ。したがって、１つのホッパータンク７４で２条分の苗載台３１へ薬剤を供給する。
【００２３】
導出パイプ７６の下端には、散布口７７を連続して設ける。散布口７７は、２重構造になっている。すなわち、外側には、円筒状のホイールを備え、内側にはノズルを備える。ホイールの外周には突起を複数有する。この突起は、図にて明らかなように、苗Ｓと接触するようになっている。そして、田植時に苗載台３１が苗Ｓを繰り出すために幅方向に移動することで突起が苗Ｓに引っかかり、散布口７７の外側のホイールが回転する。したがって、苗載台３１が苗Ｓを繰り出している間は、ホイールは一定速度で回転する。このホイールには針金で構成されたスクレーパの一端が固設されている。スクレーパの他端はノズル内に挿入されている。そして、ホイールが回転することで、スクレーパがノズル内で回転する。このように構成することで、水分がノズル出口に付着し、散布口７７より排出される薬剤がこの水分によって散布口７７周辺に固まることを防止することができる。
【００２４】
次に、このように構成された田植機で苗に薬剤を散布する動作を説明する。苗載台３１に載置された苗Ｓは、搬送ベルトＢによって下方に搬送され、分草板６０に当接すると上部が搬送方向後方へ撓んで根元部分に空間が形成される。この空間を介してホッパーユニット７３より薬剤Ｐが苗Ｓの根元へと供給される。そして、撓んだ苗Ｓは、その先端部分が分草板６０の下端から離れると元の起立した状態に戻る。このようにして、苗載台３１上の苗Ｓが次々に下方に搬送され、分草板６０に当接したものから順次撓んで、その根元に空間を形成していく。そして、薬剤Ｐがその根元に供給される。
【００２５】
図５（ａ），（ｂ）には、この発明の別の例を示す。この例では、前述の例のような一枚の分草板に代えて、２本の分草棒８０Ａ，８０Ｂを一定の間隔Ｌをもって平行に備えるものである（分草棒は２本に限定されるものではなく、３本以上であってもよい）。なお、２本の分草棒８０Ａ，８０Ｂの間隔Ｌは、Ｌ＝５０ｍｍ程度とする。分草板６０を分草棒８０Ａ，８０Ｂに代えることで、同様の効果で軽量化された植付部を提供することができる。
【００２６】
この例では、苗載台３１の外縁部３１Ｅに固設されたブラケット８１に分草棒８０Ａ，８０Ｂの両端を溶接などにより固設する。なお、苗Ｓに薬剤Ｐを散布する動作については、前述の例と同様であるので説明を省略する。
【産業上の利用可能性】
【００２７】
この発明の苗用物質供給機構は、稲の苗を植えつけるための田植機の後面に取り付けられる薬剤散布機に限定されるものではない。たとえば、建物内に水平に設置されたコンベアを有する苗搬送台に適用してもよい。詳しくは、苗搬送台上に植物の苗を載置し、その苗を搬送移動させながら、薬剤をその苗の根元に供給する場合にも適用しうる。また、苗の根元に供給する物質は薬剤に限定されるものではなく、肥料や殺虫剤などであってもよい。
【符号の説明】
【００２８】
３１  苗載台
３１Ｅ  外縁部
３２  植付爪
３３  トップリンク
３４  ロワーリンク
３５  下部ガイドレール
３６  上部ガイドレール
３７  植付伝動ケース
３８，３９  フロート
６０  分草板
６１  ブラケット
６２  ピン
７０  薬剤供給装置（物質供給装置）
７１  ブラケット
７２  受台
７３  ホッパーユニット
７４  ホッパータンク
７５  薬剤繰出ローラ部
７６  導出パイプ
７７  散布口
８０Ａ，８０Ｂ  分草棒
８１  ブラケット
Ｂ  搬送ベルト
Ｐ  薬剤（物質）
Ｓ  苗
【図１】
2011115085.tif 000003
【図２】
2011115085.tif 000004
【図３】
2011115085.tif 000005
【図４】
2011115085.tif 000006
【図５】
2011115085.tif 000007